(57)【特許請求の範囲】
【請求項１】
墓本体と、前記墓本体の入口の両側に設置されている袖石を含む石材墓であって、
前記袖石の少なくとも一つにはスリット孔が開けられ、前記スリット孔に墓誌を出し入れ自在に収納したことを特徴とする石材墓。
【請求項２】
前記袖石のスリット孔は、上部から下に向けて開けられており、前記スリット孔に上から墓誌を落とし込むことにより、出し入れ自在に収納した請求項１に記載の石材墓。
【請求項３】
前記墓誌は、墓誌プレートと、前記墓誌プレートの上部のストッパー部と、前記ストッパー部の上の手持ち部で構成される請求項１又は２に記載の石材墓。
【請求項４】
前記墓本体、袖石及び墓誌はいずれも天然石製である請求項１〜３のいずれか１項に記載の石材墓。
【請求項５】
前記墓誌は、小袖石及び大袖石から選ばれる少なくとも一つの袖石に開けられたスリット孔に収納する請求項１〜４のいずれか１項に記載の石材墓。
【請求項６】
前記墓本体は、破風墓又は亀甲墓である請求項１〜５のいずれか１項に記載の石材墓。
【発明の詳細な説明】
【技術分野】
【０００１】
本発明は墓誌を備えた石材墓に関する。
【背景技術】
【０００２】
墓誌は故人の戒名又は氏名、死亡年月日、年齢等の墓誌事項を石板又は墓本体に記載し、個人の記録が長期間残るように作成される。とくに石板製墓誌は、多くの故人の記録を記載できることから、墓本体とは別に独立して設置されることも多い。特許文献１には墓誌プレートの差し替えが自由にできる墓誌が提案されている。特許文献２には、骨壺に墓誌事項を記載することが提案されている。
【先行技術文献】
【特許文献】
【０００３】
【特許文献１】特開２００６−１８３３４８号公報
【特許文献２】実用新案登録第３０１０５６６号公報
【発明の概要】
【発明が解決しようとする課題】
【０００４】
しかし、従来の墓誌プレートは、それ自体独立したものであり、土台から作成する必要があり、土台を作るスペースの無い墓地では設置するのは困難であり、さらにプライバシー情報を守れないという問題があった。また、骨壺に墓誌事項を記載するのは、墓を開けるか又は墓の内部に入らないとわからず、不便であった。
【０００５】
本発明は、前記従来の問題を解決するため、土台から作成する必要がなく、プライバシー情報を守ることができ、墓を開けたり内部に入らなくても見ることができる墓誌を備えた石材墓を提供する。
【課題を解決するための手段】
【０００６】
本発明は、墓本体と、前記墓本体の入口の両側に設置されている袖石を含む墓であって、前記袖石の少なくとも一つにはスリット孔が開けられ、前記スリット孔に墓誌を出し入れ自在に収納した石材墓である。
【発明の効果】
【０００７】
本発明の石材墓は、墓本体と、前記墓本体の入り口の両側に設置されている袖石を含み、前記袖石の少なくとも一つにはスリット孔が開けられ、前記スリット孔に墓誌を出し入れ自在に収納したことにより、土台から作成する必要がなく、プライバシー情報を守ることができ、墓を開けたり内部に入らなくても見ることができる墓誌を備えた石材墓を提供できる。すなわち、墓誌は袖石に設けられたスリット孔に出し入れ自在に収納することにより、土台は不要である。また、通常の状態では墓誌は袖石に設けられたスリット孔に収納されていることにより、プライバシー情報を守ることができる。さらに、墓誌を見る必要がある場合は袖石のスリット孔から引き出すだけでよく、墓を開けたり内部に入る必要はなく便利である。
【図面の簡単な説明】
【０００８】
【図１】図１は本発明の一実施形態に係る石材墓の模式的正面図である。
【図２】図２は同、大袖石に開けられたスリット孔に墓誌を出し入れ自在に収納する模式的斜視図である。
【図３】図３Ａは同、大袖石に開けられたスリット孔に墓誌を出し入れ自在に収納する模式的正面図、図３Ｂは同、模式的側面図である。
【図４】図４は同、石材墓の模式的側面図である。
【図５】図５は同、石材墓の模式的平面図である。
【図６】図６は本発明の別の実施形態に係る石材墓の模式的正面図である。
【図７】図７は同、小袖石に開けられたスリット孔に墓誌を出し入れ自在に収納する模式的斜視図である。
【図８】図８は同、石材墓の模式的側面図である。
【発明を実施するための形態】
【０００９】
本発明は、墓本体と、前記墓本体入口の両側（両脇）に設置されている袖石を含む石材墓である。袖石は、墓本体前部の構造物（大袖石）ないしは隣のお墓との境界をはっきりさせる役割を持っている（小袖石）。前記袖石の少なくとも一つにはスリット孔が開けられ、前記スリット孔に墓誌を出し入れ自在に収納する。これにより、土台から作成する必要がなく、プライバシー情報を守ることができ、墓を開ける必要もなく、墓の内部に入らなくても墓誌を見ることができる。
【００１０】
墓誌は通常、墓本体とは別に独立して設置されることが多いが、独立して設置するには土台から必要であり、土地が狭い場合は設置できないという問題がある。また、沖縄地方においては、墓誌を作成する習慣がなく、骨壺に墓誌事項を記載していた。これによる不都合は従来技術の項に記載したとおりである。本発明は、沖縄地方の墓においても墓誌を作成したいという遺族の要望もあり、本発明はこのような要望に応えるものである。
【００１１】
本発明においては、墓誌を収納するためのスリット孔は、袖石の少なくとも一つに開けられていればよく、両側（両脇）の袖石に開けられていてもよい。大袖石と小袖石の両方に設けることもできる。また、前記スリット孔は一つでもよいし、複数開けていてもよい。
【００１２】
前記袖石のスリット孔は、上部から下に向けて開けられており、前記スリット孔に上から墓誌を落とし込むことにより、出し入れ自在に収納できるようにするのが好ましい。墓誌を上から出し入れ自在に収納できれば便利である。
【００１３】
前記墓誌は、墓誌プレートと、前記墓誌プレートの上部のストッパー部と、前記ストッパーの上の手持ち部で構成されるのが好ましい。墓誌プレートには故人の戒名又は氏名、死亡年月日、年齢等の墓誌事項を記載する。墓誌プレートに切削、筆書き等により記載するのが好ましい。ストッパー部は、墓誌プレートを所定の高さで止めることができる。また、ストッパーの上に手持ち部があれば、手で持って出し入れができ、便利である。さらに、ストッパー部及び手持ち部は袖石の表面から出ているので、墓誌プレートがある位置がすぐにわかり、供養ごとに墓誌プレートを引き上げて墓誌事項を確認できる。
【００１４】
前記墓誌は、小袖石及び大袖石から選ばれる少なくとも一つの袖石に開けられたスリット孔に収納するのが好ましい。より好ましくは、大袖石に開けられたスリット孔に収納する。大袖石の上には支柱があり、この支柱の裏の大袖石に開けられたスリット孔に収納すれば、墓誌は隠れ、プライバシー保護がより強化できる。大袖石の上には屋根があり、雨水と太陽光線を防ぎ、墓誌の傷みを防止できる。
【００１５】
前記墓本体、袖石及び墓誌はいずれも天然石製であるのが好ましい。墓石に使う天然石製の石材は、大まかな分類として花崗岩（御影石を含む）、閃緑岩、斑レイ岩、安山岩等が挙げられ、産地や成分などにより３００以上の種類がある。これらの天然石は長期間経過しても変化することはなく、ひび割れすることもなく、耐久性に優れている。
【００１６】
前記墓本体は破風墓又（家形墓）は亀甲墓が好ましい。これらの墓は側壁及び屋根、袖石を含め、ほぼ全体が石材で構成されている。一部にコンクリートを使用することもできる。これらの墓は袖石を備えており、袖石に墓誌を出し入れ自在に収納するのに都合がよい。
【００１７】
以下図面を用いて説明する。以下の図面において、同一符号は同一物を示す。図１は本発明の一実施形態に係る石材墓１の模式的正面図である。この石材墓１は破風墓の例であり、墓本体２は土台、側壁、支柱、屋根などの構造物は石材で構成されている。墓本体２の前面側には、大袖石９とその上の支柱１０があり、支柱１０には墓を所有する家の名前を記載した墓名板１１を設けている。大袖石９の上であって、支柱１０の裏側に上部から下部に向けてスリット孔が開けられており、このスリット孔に上から墓誌５を落とし込むことにより、出し入れ自在に収納している。墓誌５は、墓誌プレート６と、墓誌プレート６の上部のストッパー部７と、ストッパーの上の手持ち部８で構成されている。墓本体２の中央には香炉１３があり、その奥には納骨室に入るための扉１２がある。大袖石９の前には小袖石３が設置されている。
【００１８】
図２は大袖石９に開けられたスリット孔４に墓誌５を出し入れ自在に収納する模式的斜視図、図３Ａは同正面図、図３Ｂは同側面図である。この例においては、大袖石９は上部から下部に向けてスリット孔４が開けられており、このスリット孔４に上から墓誌５を落とし込むことにより、出し入れ自在に収納する。墓誌５も石材製であることが好ましく、重量もあることから、上から出し入れ自在に収納できれば便利である。スリット孔４の好ましい大きさは、一例としてスリット長２３０〜２５０ｍｍ、スリット幅３０〜５０ｍｍ、深さ２４０〜２６０ｍｍが好ましい。墓誌５は、前記スリット孔に収納できる大きさであればよい。
【００１９】
墓誌５は、墓誌プレート６と、墓誌プレート６の上部のストッパー部７と、ストッパーの上の手持ち部８で構成されている。ストッパー部７があれば、墓誌プレート６は所定の高さで止まる。また、ストッパー部７の上に手持ち部８があれば、手で持って出し入れができ、便利である。ストッパー部７の大きさは、スリット孔４より大きければよく、一例として各辺５〜３０ｍｍ程度大きくする。手持ち部８は幅２８０〜３００ｍｍ、高さ７０〜９０ｍｍが好ましい。
【００２０】
図４は石材墓の模式的側面図であり、前側から見て、小袖石３、大袖石９とその上の支柱１０、香炉１３があり、その奥に納骨室１４がある。図５は石材墓１の模式的平面図である。
【００２１】
図６は本発明の別の実施形態に係る石材墓の模式的正面図、図７は同、小袖石に開けられたスリット孔に墓誌を出し入れ自在に収納する模式的斜視図、図８は同、石材墓の模式的側面図である。図１と異なる点は、墓誌１５を小袖石３に開けたスリット孔１９に収納したことである。墓誌１５は、墓誌プレート１６と、墓誌プレート１６の上部のストッパー部１７と、ストッパーの上の手持ち部１８で構成されている。
【実施例】
【００２２】
以下、実施例によりさらに詳しく説明する。但し、本発明は下記の実施例に限定されるものではない。
（実施例１）
図１〜５に示すように、御影石を使用して石材墓（破風墓）１を作製した。この石材墓１の全体の大きさは、間口（横）２０００ｍｍ、奥行き１９００ｍｍ、屋根の頂点までの高さ２２１０ｍｍである。背面側壁の厚さは８０ｍｍである。
大袖石９も御影石を使用して作製した。大袖石９の大きさは、間口（横）３８０ｍｍ、奥行き３９５ｍｍ、高さ１２００ｍｍである。墓誌プレート６の大きさは、間口（横）方向の長さ２４０ｍｍ、奥行き（幅）３０ｍｍ、高さ２５０ｍｍである。墓誌５の重さは６．５ｋｇとした。大袖石９の上面から下に向けて開けたスリット孔４の大きさは、墓誌プレート６の大きさよりも各辺２ｍｍ長くした。
このようにして作成した墓誌５を実際に使ってみたところ、墓誌プレート６はスリット孔４に出し入れ自在に収納でき、便利であることが確認できた。また、墓誌プレート６をスリット孔４に収納した通常の状態では、墓誌事項は隠れているので、プライバシー情報を守ることができた。
【００２３】
（実施例２）
図６〜８に示すように、小袖石３にスリット孔１９を設け、ここに墓誌１５を収納した。小袖石３の大きさは、間口（横）３６０ｍｍ、奥行き２０５ｍｍ、高さ８００ｍｍである。スリット孔１９の大きさ、墓誌プレート１６の大きさ、墓誌１５の重量などは実施例１と同様とした。
このようにして作成した墓誌１５を実際に使ってみたところ、墓誌プレート１６はスリット孔１９に出し入れ自在に収納でき、便利であることが確認できた。また、墓誌プレート１６をスリット孔１９に収納した通常の状態では、墓誌事項は隠れているので、プライバシー情報を守ることができた。
【産業上の利用可能性】
【００２４】
本発明の袖石の少なくとも一つにスリット孔を開け、前記スリット孔に墓誌を出し入れ自在に収納した石材墓は、破風墓に限らず、亀甲墓あるいは袖石を有する墓であれば否かる墓にも適用できる。
【符号の説明】
【００２５】
１  石材墓
２  墓本体
３  小袖石
４，１９  スリット孔
５，１５  墓誌
６，１６  墓誌プレート
７，１７  ストッパー部
８，１８  手持ち部
９  大袖石
１０  支柱
１１  墓名板
１２  扉
１３  香炉
１４  納骨室
【要約】
【課題】土台から作成する必要がなく、プライバシー情報を守ることができ。墓を開けたり内部に入らなくても見ることができる墓誌を備えた石材墓を提供する。
【解決手段】墓本体２と、墓本体２の入口の両側に設置されている袖石３，９を含む石材墓１であって、袖石３，９の少なくとも一つにはスリット孔が開けられ、スリット孔に墓誌５を出し入れ自在に収納する。袖石３，９のスリット孔は、上部から下に向けて開けられており、前記スリット孔に上から墓誌５を落とし込むことにより、出し入れ自在に収納する。
【選択図】図１【図１】
0006883894.tif 000002
【図２】
0006883894.tif 000003
【図３】
0006883894.tif 000004
【図４】
0006883894.tif 000005
【図５】
0006883894.tif 000006
【図６】
0006883894.tif 000007
【図７】
0006883894.tif 000008
【図８】
0006883894.tif 000009